(57)【要約】      （修正有）【課題】振動ホストと取り外し可能なシートを設け、長時間立位を保つことができない利用者の利用に資する振動型脂肪除去装置を提供する。【解決手段】振動型脂肪除去装置１００は、上面２２０と、上面２２０に組み立てられる固定スロット２１０と、を含む振動ホスト２００と、振動ホスト２００に取り外し可能に組み立てられ、スルーホールを有する接合部を有するサポートフレーム３１０と、サポートフレーム３１０に固着されるガスケット本体３２０と、を含むシート３００と、固定スロット２１０に接合されるようにスルーホールに対応して挿入される位置決めユニット４００と、を備え、またシート３００が位置決めユニット４００によって上面２２０に取り外し可能に組み立てられる。これによって、利用者が振動型脂肪除去装置１００に乗るためのシートスペースを提供し、利用者が座った姿勢で本考案に係る振動型脂肪除去装置１００を使用してボディーマッサージを行うことに寄与する。【選択図】図１
0003216252.tif 000002
【実用新案登録請求の範囲】
【請求項１】
上面と、前記上面に組み立てられる固定スロットと、を含む振動ホストと、
前記上面に設けられ、スルーホールを有する接合部を有するサポートフレームと、前記サポートフレームに設けられるガスケット本体と、を含み、前記振動ホストに取り外し可能に組み立てられるシートと、
前記固定スロットに接合されるように前記スルーホールに対応して挿入される位置決めユニットと、
を備え、
また、前記シートが前記位置決めユニットによって前記上面に取り外し可能に組み立てられる振動型脂肪除去装置。
【請求項２】
前記固定スロットは、前記上面に偏心で設けられ、且つ前記シートは、前記位置決めユニットによって前記振動ホストの前記上面に偏心で取り外し可能に設けられる請求項１に記載の振動型脂肪除去装置。
【請求項３】
前記固定スロットは、前記上面の中心に設けられ、且つ前記シートは、前記位置決めユニットによって前記振動ホストの前記上面の中心に取り外し可能に組み立てられる請求項１に記載の振動型脂肪除去装置。
【請求項４】
前記振動ホストは、前記上面に取り外し可能に組み立てられ且つ貫通孔を有するカバーを更に含み、前記位置決めユニットが順に前記スルーホール及び前記貫通孔を介して貫通し前記固定スロットに接合される請求項１に記載の振動型脂肪除去装置。
【請求項５】
前記カバーの前記シートに近い側に滑り止めパッドが設けられる請求項４に記載の振動型脂肪除去装置。
【請求項６】
前記サポートフレームは、アーク部を有し、前記ガスケット本体の形が前記アーク部に対応してアーク状にされ、且つ前記ガスケット本体が前記アーク部に設けられる請求項１に記載の振動型脂肪除去装置。
【請求項７】
前記サポートフレームは、両側がそれぞれ水平方向に向かって延伸して手すりを形成する請求項１に記載の振動型脂肪除去装置。
【請求項８】
前記手すりには、アンチスリップカバーが外嵌される請求項７に記載の振動型脂肪除去装置。
【請求項９】
前記シートは、互いに分離して前記サポートフレームの前記振動ホストに近い側に設けられる複数のスタンドを更に含む請求項１に記載の振動型脂肪除去装置。
【請求項１０】
前記固定スロットは、内係合部を有し、且つ前記位置決めユニットは、固定ロッド、弾性部材及び少なくとも２つのガスケットを含み、前記固定ロッドが順に前記弾性部材、前記ガスケット、前記スルーホール及び別の前記ガスケットを介して前記固定スロットに挿入し接合され、且つ前記固定ロッドが前記内係合部に固定されるように係合端を有する請求項１に記載の振動型脂肪除去装置。
【請求項１１】
前記弾性部材は、バネである請求項１０に記載の振動型脂肪除去装置。
【請求項１２】
前記位置決めユニットは、前記固定ロッドの前記係合端と異なる端部に固定されるノブを更に含む請求項１０に記載の振動型脂肪除去装置。
【考案の詳細な説明】
【技術分野】
【０００１】
本考案は、振動型脂肪除去装置に関し、特に、シートを有する振動型脂肪除去装置に関する。
【背景技術】
【０００２】
社会の進歩に伴い、人間の自分の健康や体の姿勢に対する重視程度も向上するため、代謝を促進し、フィットネスの効果を得ることが可能なフィットネス・マッサージ機器も数多く現れるようになる。
【考案の概要】
【考案が解決しようとする課題】
【０００３】
近年、構造が簡単で便利に使用できる脂肪除去装置は、多数のフィットネス・マッサージ機器の中でも徐々に抜け出る存在になり、トレーニーに広く支持されている。従来の脂肪除去装置であれば、使用中、脂肪除去装置の振動によりフィットネス・マッサージをするために、ずっと脂肪除去装置上に立たなければならない。しかし、体の弱い人やお年寄りは、立位を長時間に保つことはできない。更に、フィットネス・マッサージの機能を達成するために、脂肪除去装置が振動による刺激で動作する方法では、下肢の筋力が弱い方にとってはずっと立っていることがより困難になる。そのため、脂肪除去装置上に長時間立つことができない利用者であれば、脂肪除去装置の使用時間を短縮せざるを得ないので、フィットネス・マッサージの効果も大幅に低下する。
【０００４】
これに鑑みて、上記の利用者の利用に関する問題の解決に寄与する脂肪除去装置の開発は、当業者の努力する方向および目標となっている。
【課題を解決するための手段】
【０００５】
本考案の一つの目的は、振動ホストと取り外し可能なシートを設けることで、更に振動型脂肪除去装置の利用者に座るスペースを提供し、長時間立位を保つことができない利用者の利用に資することにある。更に本考案に係る振動型脂肪除去装置により、フィットネス・マッサージ効果を高める振動型脂肪除去装置を提供することにある。
【０００６】
本考案に係る別の目的は、シートの分解と組立を素早くできる振動型脂肪除去装置を提供し、シートを使用してトレーニングする時に素早くそれを振動ホストに組み立て、立位でトレーニングする時には素早くシートを取り除くことができ、多目的機械としての機能を果たすことができる。
【０００７】
上記の目的を達成するため、本考案に係る一実施形態は、上面と、上面に組み立てられる固定スロットと、を含む振動ホストと、スルーホールを有する接合部を有するサポートフレームと、サポートフレームに設けられるガスケット本体と、を含み、振動ホストに取り外し可能に組み立てられるシートと、固定スロットに接合されるようにスルーホールに対応して挿入される位置決めユニットと、を備え、またシートが位置決めユニットによって取り外し可能に上面に組み立てられる振動型脂肪除去装置を提供する。
【０００８】
前記実施形態の振動型脂肪除去装置の他の実施例によると、固定スロットは、上面に偏心で設けられ、且つシートは、位置決めユニットによって振動ホストの上面に偏心で取り外し可能に設けられる。
【０００９】
前記実施形態の振動型脂肪除去装置の他の実施例によると、固定スロットは、上面の中心に設けられ、且つシートは、位置決めユニットによって振動ホストの上面の中心に取り外し可能に組み立てられる。
【００１０】
前記実施形態の振動型脂肪除去装置の他の実施例によると、振動ホストは、上面に取り外し可能に組み立てられ且つ貫通孔を有するカバーを更に含んでもよく、位置決めユニットが順にスルーホール及び貫通孔を介して貫通し固定スロットに接合される。また、サポートフレームは、両側がそれぞれ水平方向に向かって延伸して手すりを形成し、且つ前記手すりにアンチスリップカバーが外嵌されてもよい。
【００１１】
前記実施形態の振動型脂肪除去装置の他の実施例によると、カバーのシートに近い側に滑り止めパッドが設けられてもよい。また、サポートフレームは、アーク部を有してもよく、ガスケット本体の形がアーク部に対応してアーク状にされ、且つ前記ガスケット本体がアーク部に設けられる。
【００１２】
前記実施形態の振動型脂肪除去装置の他の実施例によると、前記シートは、互いに分離してサポートフレームの振動ホストに近い側に設けられる複数のスタンドを更に含んでもよい。
【００１３】
前記実施形態の振動型脂肪除去装置によると、固定スロットは、内係合部を有し、且つ位置決めユニットは、固定ロッド、弾性部材及び少なくとも２つのガスケットを含んでもよく、前記固定ロッドが順に弾性部材、ガスケット、スルーホール及び別のガスケットを介して固定スロットに挿入し接合され、且つ固定ロッドが前記内係合部に固定されるように係合端を有する。また、前記弾性部材の実施例は、バネであってもよい。
【００１４】
前記実施形態の振動型脂肪除去装置の他の実施例によると、位置決めユニットは、固定ロッドの係合端と異なる端部に固定されるノブを更に含んでもよい。
【考案の効果】
【００１５】
これによって、本考案に係る振動型脂肪除去装置は、位置決めユニットによってシートを振動ホストに固定して、振動型脂肪除去装置に座るスペースを提供し、利用者が座ることに寄与することで、利用者が座った状態で本考案に係る振動型脂肪除去装置を利用してフィットネス・マッサージをする。なお、単一の位置決めユニットによってシートを振動ホストに固定することは、シートを組み立てる複雑さを大幅に低減することができるだけでなく、且つシートを振動ホストの中心又は偏心位置に固定するように位置決めユニットが本体の上面の固定スロットに接合されることで振動型脂肪除去装置の動作時の振動波伝導に寄与し、更にフィットネス・マッサージの効率を高める。また、アーク部を有するサポートフレームには、それに対応させて形がアーク状であるガスケット本体が設けられることで、更に利用者の座った姿勢のヒップの形に合致できる。また、同時にシートに手すりが設計され、利用者が安定的にシートに座ることができることで、本考案に係る振動型脂肪除去装置の使用安全性を向上させることができるだけでなく、フィットネス・マッサージの効率の向上にも寄与する。
本考案の上記及びその他の目的、特徴及びメリットをより分かりやすくするために、添付図面に合わせて以下の通りに詳しく説明する。
【図面の簡単な説明】
【００１６】
【図１】本考案の一実施形態の一実施例に係る振動型脂肪除去装置を示す構造模式図である。
【図２Ａ】図１における振動型脂肪除去装置を示す側面図である。
【図２Ｂ】図１における振動型脂肪除去装置を別の方向から示す側面図である。
【図３】図１における位置決めユニットを示す組立模式図である。
【図４】図２Ａにおける位置決めユニットと振動ホストとの接続状態を示す拡大断面図である。
【図５】本考案の一実施形態の別の実施例に係る振動型脂肪除去装置を示す部分分解図である。
【図６】本考案の一実施形態のまた別の実施例に係る振動型脂肪除去装置を示す構造模式図である。
【図７】本考案の一実施形態の更に１つの実施例に係る振動型脂肪除去装置を示す組立構造模式図である。
【考案を実施するための形態】
【００１７】
以下、当業者が本考案を過度に解釈したり実験したりせずに完全に利用し実施できるように、図面を参照して本考案の複数の実施例を説明する。しかしながら、これらの実際の細部が本考案を制限するためのものではないことは理解すべきである。つまり、本考案の一部の実施例において、これらの実際の細部は必要なものではない。また、図面を簡略化するために、図面において、ある従来用いられている構造と要素を簡単に模式的に示す。また、同一の要素は同一の番号で示すことがある。
【００１８】
図１、図２Ａ及び図２Ｂを参照されたい。図１は、本考案の一実施形態の一実施例に係る振動型脂肪除去装置１００を示す構造模式図である。図２Ａは、図１における振動型脂肪除去装置１００を示す側面図である。図２Ｂは、図１における振動型脂肪除去装置１００を別の方向から示す側面図である。図面に示すように、振動型脂肪除去装置１００は、振動ホスト２００と、シート３００と、位置決めユニット４００と、を備える（図２Ａ及び図２Ｂに示す）。
【００１９】
振動ホスト２００は、上面２２０と、上面２２０の中心に組み立てられる固定スロット２１０と、を含む。振動型脂肪除去装置１００の振動中心は、振動ホスト２００の中心に位置し、振動ホスト２００の上面２２０の中心に組み立てられる固定スロット２１０によりシート３００を更に振動型脂肪除去装置１００の振動中心に設けることができるので、振動型脂肪除去装置１００の動作時の振動波伝導に寄与し、フィットネス・マッサージの効率を更に高める。
【００２０】
シート３００は、振動ホスト２００に取り外し可能に組み立てられ、且つ上面２２０に設けられるサポートフレーム３１０と、サポートフレーム３１０に設けられるガスケット本体３２０と、を含む。サポートフレーム３１０は、スルーホール３３１を有する（図４に示す）接合部３３０を有する。これによって、シート３００を設けることで、振動型脂肪除去装置１００に座るスペースを提供することができ、利用者が座ることに寄与し、利用者が座った状態で振動型脂肪除去装置１００を利用してフィットネス・マッサージをすることができる。また、取り外し可能なシート３００を有する振動型脂肪除去装置１００はまた、利用者に異なるモードでのフィットネス・マッサージを提供することができる。利用者は、シート３００が振動ホスト２００から取り外された場合、直接振動ホスト２００に立って、下肢に対してフィットネス・マッサージを行うことができるが、シート３００が振動ホスト２００に組み立てられている場合、シート３００に座って、更に体に対して振動マッサージを行うことができる。
【００２１】
図２Ａに示すように、サポートフレーム３１０はアーク部３１１を有する。ガスケット本体３２０は、アーク部３１１に対応してアーク状にされ、且つアーク部３１１に組み立てられる。これによって、シート３００が更に利用者が座ったときのヒップの形に合致するようになるので、本考案に係る振動型脂肪除去装置に高い振動伝導速率及び安全性を共に持たせることができる。しかし、説明すべきことは、シート３００は、アーク状に設計される以外に、平面シート状に設計されてもよく、且つ本考案は、ここに挙げたものに限定されない。
【００２２】
位置決めユニット４００は、固定スロット２１０に接合されるようにスルーホール３３１（図３に示す）に対応して挿入され、且つシート３００が位置決めユニット４００によって上面２２０に取り外し可能に組み立てられる。これによって、単に位置決めユニット４００によってシート３００を振動ホスト２００に固定する形態であれば、シート３００の組み立ての複雑さを大幅に低減することができるだけでなく、位置決めユニット４００によって振動ホスト２００に固定されるシート３００が更に振動型脂肪除去装置１００に座るスペースを提供するので、利用者が振動型脂肪除去装置１００で立位を長時間保持せずに使用し、フィットネス・マッサージの目的を達成することができる。
【００２３】
図３及び図４を参照されたい。図３は、図１における位置決めユニット４００を示す組立模式図である。図４は、図２Ａにおける位置決めユニット４００と振動ホスト２００の接続状態を示す断面拡大図である。図３に示すように、位置決めユニット４００は、固定ロッド４１０、弾性部材４２０及び２つのガスケット４３０を含む。本実施例において、弾性部材４２０は、バネである。
振動型脂肪除去装置１００を組み立てる場合、まず、固定ロッド４１０を順に弾性部材４２０、ガスケット４３０、シート３００の接合部３３０のスルーホール３３１及び別のガスケット４３０を貫通させ、更に振動ホスト２００の固定スロット２１０の中に挿入し接合する。図４に示すように、固定スロット２１０が振動ホスト２００の上面２２０に凹設され且つ内係合部２１１を有し、位置決めユニット４００の固定ロッド４１０が係合端４１１を有する。固定ロッド４１０が順に弾性部材４２０、ガスケット４３０、スルーホール３３１及び別のガスケット４３０を貫通した後で固定スロット２１０に挿入され、接合するために係合端４１１を内係合部２１１に固定する。更にシート３００を振動ホスト２００の中心に固定して振動型脂肪除去装置１００に座るスペースを提供し、振動型脂肪除去装置１００の動作時の振動波伝導に寄与する。
ここで説明すべきことは、位置決めユニット４００は、係合により振動ホスト２００に接続される以外にも、係止により固定されてもよく、且つ本考案は、この構成に限定されない。上記の位置決めユニット４００は、固定ロッド４１０の係合端４１１と異なる端部に固定されるノブ４４０を更に含む。ノブ４４０を設けることで、シート３００は、他のハンドツールを補助せずに振動ホスト２００に組み立てられることができるので、振動型脂肪除去装置１００の組立利便性を更に向上させることができる。
【００２４】
図５を参照されたい。図５は、本考案の一実施形態の別の実施例に係る振動型脂肪除去装置１００Ａを示す部分分解図である。図５における振動型脂肪除去装置１００Ａについては、図１の振動型脂肪除去装置１００の構造と類似であるので、同じ要素の構造の細部については説明しない。
図面に示すように、振動型脂肪除去装置１００Ａは、固定スロット２１０Ａ、上面２２０Ａ、及び上面２２０Ａに取り外し可能に組み立てられ、且つ貫通孔２３１Ａを有するカバー２３０Ａを含む振動ホスト２００Ａと、シート３００Ａと、順にシート３００Ａの接合部３３０Ａのスルーホール３３１Ａ及び貫通孔２３１Ａを介して貫通し固定スロット２１０Ａに接合される位置決めユニット４００Ａと、を備える。カバー２３０Ａを設けることで、固定スロット２１０Ａを振動ホスト２００Ａの中に設けることができ、埃やゴミが固定スロット２１０Ａに入ってシート３００Ａの固定効率に影響をもたらすことを避けることができるだけではなく、振動型脂肪除去装置１００Ａの外観美観度を向上させることができる。
カバー２３０Ａのシート３００Ａに近い側には滑り止めパッド２３２Ａが設けられる。滑り止めパッド２３２Ａは、摩擦力を与え、振動型脂肪除去装置１００Ａの振動ホスト２００Ａが動作時にシート３００Ａが揺れることを防止し、シート３００Ａの組立安定度を更に強めることができる。
【００２５】
図６を参照されたい。図６は、本考案の一実施形態のまた別の実施例に係る振動型脂肪除去装置１００Ｂを示す構造模式図である。図６における振動型脂肪除去装置１００Ｂについては、図１の振動型脂肪除去装置１００の構造と類似であるので、同じ要素の構造の細部については説明しない。
図面に示すように、振動型脂肪除去装置１００Ｂは、振動ホスト２００Ｂ、シート３００Ｂ及び位置決めユニット４００Ｂを備える。シート３００Ｂは、サポートフレーム３１０Ｂ及びガスケット本体３２０Ｂを含む。サポートフレーム３１０Ｂは、両側がそれぞれ水平方向に向かって延伸して手すり３４０Ｂを形成し、且つ手すり３４０Ｂにアンチスリップカバー３４１Ｂを有し、利用者が握るために供される。これによって利用者がより安定的にシート３００Ｂ上に座ることができる。なお、シート３００Ｂは４つのスタンド３５０Ｂを更に含み、４つのスタンド３５０Ｂが互いに分離してサポートフレーム３１０Ｂの振動ホスト２００Ｂに近い側に設けられる。
これによって、手すり３４０Ｂを有するシート３００Ｂの設置によって、利用者がより安定的にその上に座ることができ、振動型脂肪除去装置１００Ｂの使用安全性を高めるほか、震動波の伝導にも寄与し、更に振動型脂肪除去装置１００Ｂでフィットネス・マッサージを行う効率を向上させる。
【００２６】
図７を参照されたい。図７は、本考案の一実施形態の更に１つの実施例に係る振動型脂肪除去装置１００Ｃを示す組立構造模式図である。図７における振動型脂肪除去装置１００Ｃは、図１の振動型脂肪除去装置１００の構造と類似であるので、同じ要素の構造の細部については説明しない。
図面に示すように、振動型脂肪除去装置１００Ｃは、振動ホスト２００Ｃ、シート３００Ｃ及び位置決めユニット４００Ｃを備える。振動ホスト２００Ｃは、固定スロット２１０Ｃと上面２２０Ｃを含む。固定スロット２１０Ｃは、偏心で上面２２０Ｃに設けられ、且つシート３００Ｃは、位置決めユニット４００Ｃによって取り外し可能に偏心で振動ホスト２００Ｃに設けられる。
これによって、単一の位置決めユニット４００Ｃによってシート３００Ｃを振動ホスト２００Ｃに固定する形態は、シート３００Ｃを組み立てる複雑さを大幅に低減することができるだけでなく、位置決めユニット４００Ｃによって振動ホスト２００Ｃに固定されるシート３００Ｃが更に振動型脂肪除去装置１００Ｃで座るスペースを提供し、利用者が振動型脂肪除去装置１００Ｃで長時間立位を保持せずに使用でき、フィットネス・マッサージの目的を達成することができる。
【００２７】
上記の実施形態から分かるように、本考案には、以下のメリットがある。
【００２８】
一、振動ホスト、シートと位置決めユニットを設けることで、振動型脂肪除去装置に座るスペースを提供し、立位を長時間に保持できない利用者が座った姿勢で本考案に係る振動型脂肪除去装置を使用することで、フィットネス・マッサージを行うことができる。
【００２９】
二、単一の位置決めユニットは本体の上面の中心又は偏心の固定スロットに接合され、シートが振動ホストの上面に固定される。これにより、シートを組み立てる複雑さを大幅に低減することができるだけでなく、振動型脂肪除去装置の動作時の振動波伝導に寄与し、更にフィットネス・マッサージの効率を高める。
【００３０】
三、アーク部を有するサポートフレーム及びアーク状ガスケット本体のシートは、更に利用者の座った姿勢のヒップの形に合致でき、これによって利用者が安定的にシートに座ることができる。さらに、シートに同時に手すりが設置されれば、本考案に係る振動型脂肪除去装置の使用安全性を向上させることができる。
【００３１】
四、取り外し可能なシートを有する振動型脂肪除去装置は、立位トレーニングと座った姿勢でのトレーニングのニーズを共に満たし、利用者に異なるフィットネス・マッサージモードの選択肢を提供して、更に本考案に係る振動型脂肪除去装置の利用範囲を広げることができる。
【００３２】
本考案は実施形態を前述の通りに開示したが、これは本考案を限定するものではなく、当業者であれば、本考案の精神と範囲から逸脱しない限り、多様の変更や修飾を加えることができる。従って、本考案の保護範囲は、実用新案登録請求の範囲で指定した内容を基準とするものである。
【符号の説明】
【００３３】
１００、１００Ａ、１００Ｂ、１００Ｃ  振動型脂肪除去装置
２００、２００Ａ、２００Ｂ、２００Ｃ  振動ホスト
２１０、２１０Ａ、２１０Ｃ            固定スロット
２１１                                内係合部
２２０、２２０Ａ、２２０Ｃ            上面
２３０Ａ                              カバー
２３１Ａ                              貫通孔
２３２Ａ                              滑り止めパッド
３００、３００Ａ、３００Ｂ、３００Ｃ  シート
３１０、３１０Ｂ                      サポートフレーム
３１１                                アーク部
３２０、３２０Ｂ                      ガスケット本体
３３０、３３０Ａ                      接合部
３３１、３３１Ａ                      スルーホール
３４０Ｂ                              手すり
３４１Ｂ                              アンチスリップカバー
３５０Ｂ                              スタンド
４００、４００Ａ、４００Ｂ、４００Ｃ  位置決めユニット
４１０                                固定ロッド
４１１                                係合端
４２０                                弾性部材
４３０                                ガスケット
４４０                                ノブ
【図１】
0003216252.tif 000003
【図２Ａ】
0003216252.tif 000004
【図２Ｂ】
0003216252.tif 000005
【図３】
0003216252.tif 000006
【図４】
0003216252.tif 000007
【図５】
0003216252.tif 000008
【図６】
0003216252.tif 000009
【図７】
0003216252.tif 000010